(57)【要約】【課題】連続用紙がテーブルとガイド部との間に挟まれることを抑制すること。【解決手段】排出される連続用紙１０を上面４０に受けて折り畳んで積載する昇降可能なテーブル３２と、テーブル３２の上面４０に積載される連続用紙１０の側方に配置され、テーブル３２の上面４０に交差する方向に延びた第１部分５０と、第１部分５０の下端に接続し、第１部分５０に対してテーブル３２の外側方向に斜めに傾いて延びた第２部分５２と、を有するガイド部３４と、テーブル３２がガイド部３４よりも下側に下降した状態において、連続用紙１０の先端部がガイド部３４の第２部分５２の真下に位置するように連続用紙１０の先端部をテーブル３２の上面４０との間で挟む挟持部３６と、を備えるスタッカ。【選択図】図８
2020011785.tif 000002
【特許請求の範囲】
【請求項１】
排出される連続用紙を上面に受けて折り畳んで積載する昇降可能なテーブルと、
前記テーブルの上面に積載される前記連続用紙の側方に配置され、前記テーブルの上面に交差する方向に延びた第１部分と、前記第１部分の下端に接続し、前記第１部分に対して前記テーブルの外側方向に斜めに傾いて延びた第２部分と、を有するガイド部と、
前記テーブルが前記ガイド部よりも下側に下降した状態において、前記連続用紙の先端部が前記ガイド部の前記第２部分の真下に位置するように前記連続用紙の先端部を前記テーブルの上面との間で挟む挟持部と、を備えるスタッカ。
【請求項２】
前記挟持部は、前記テーブルの側面に前記テーブルに対して上下方向に移動可能に固定されている、請求項１記載のスタッカ。
【請求項３】
前記テーブルの側面は凹凸形状をしていて、
前記挟持部は、前記テーブルの側面の凸部に前記テーブルに対して上下方向に移動可能に固定され、
前記ガイド部の前記第１部分及び前記第２部分は、前記テーブルの昇降において前記テーブルの側面の凹部を通過する、請求項１記載のスタッカ。
【請求項４】
前記挟持部は、前記テーブルの側面と対向する部分が樹脂で形成された樹脂部となっている、請求項２または３記載のスタッカ。
【請求項５】
前記挟持部は、前記樹脂部と、前記テーブルの側面とは反対側で前記樹脂部に固定された金属部と、を含む、請求項４記載のスタッカ。
【請求項６】
前記挟持部は、自重によって前記連続用紙の先端部を前記テーブルの上面との間で挟む、請求項１から５のいずれか一項記載のスタッカ。
【請求項７】
前記挟持部の前記連続用紙の先端部が差し込まれる箇所の角部は面取りされている、請求項１から６のいずれか一項記載のスタッカ。
【請求項８】
前記テーブルの上面と前記挟持部とで挟まれた前記連続用紙の先端部は、前記テーブルの上昇によって前記連続用紙の先端部が前記ガイド部の前記第２部分に当接することで、前記テーブルの上面と前記挟持部との間から押し出される、請求項１から７のいずれか一項記載のスタッカ。
【請求項９】
連続用紙に印刷を行う印刷装置と、
印刷後の前記連続用紙を収容するスタッカと、を備え、
前記スタッカは、
印刷後の前記連続用紙を上面に受けて折り畳んで積載する昇降可能なテーブルと、
前記テーブルの上面に積載される前記連続用紙の側方に配置され、前記テーブルの上面に交差する方向に延びた第１部分と、前記第１部分の下端に接続し、前記第１部分に対して前記テーブルの外側方向に斜めに傾いて延びた第２部分と、を有するガイド部と、
前記テーブルが前記ガイド部よりも下側に下降した状態において、前記連続用紙の先端部が前記ガイド部の前記第２部分の真下に位置するように前記連続用紙の先端部を前記テーブルの上面との間で挟む挟持部と、を備えるプリンタ。
【発明の詳細な説明】
【技術分野】
【０００１】
本発明は、スタッカ及びプリンタに関する。
【背景技術】
【０００２】
プリンタに使用される用紙には、単票用紙と連続用紙（連続帳票用紙とも称される）がある。単票用紙は、１枚１枚切り離された用紙である。連続用紙は、連続印刷が可能な用紙であり、一般的には１枚１枚切り離せるように等間隔でミシン目が入っている。印刷後の用紙は、スタッカに備わるテーブルの上面に収容される。例えば、テーブル上に排出された用紙を所定位置に搬送する搬送手段と、搬送手段で搬送された用紙をテーブル上の所定位置に揃えるストッパと、を備えたスタッカが知られている（例えば、特許文献１）。
【先行技術文献】
【特許文献】
【０００３】
【特許文献１】特開平１１−１３０３１７号公報
【発明の概要】
【発明が解決しようとする課題】
【０００４】
連続用紙用のプリンタでは、印刷後の連続用紙は、スタッカに備わるテーブルの上面にミシン目の部分で折り畳まれて積み重ねられる。また、テーブルの上面の所定位置に連続用紙が積み重ねられるように、連続用紙を所定位置に揃えて積載させるためのガイド部が設置されている。
【０００５】
印刷済みの連続用紙をテーブルから取り出す場合、ガイド部よりも下側になるまでテーブルを下降させ、連続用紙をミシン目で切り離すことで、印刷済みの連続用紙をテーブルから取り出す。連続用紙をミシン目で切り離した後においても、テーブル上には連続用紙の切り離されていない部分が残存する。テーブルから連続用紙を取り出した後、次の印刷に備えてテーブルが上昇する。このときに、テーブル上に残存している連続用紙の先端部がテーブルとガイド部とに挟まれてしまうことがある。
【０００６】
１つの側面では、連続用紙がテーブルとガイド部との間に挟まれることを抑制することを目的とする。
【課題を解決するための手段】
【０００７】
１つの態様では、排出される連続用紙を上面に受けて折り畳んで積載する昇降可能なテーブルと、前記テーブルの上面に積載される前記連続用紙の側方に配置され、前記テーブルの上面に交差する方向に延びた第１部分と、前記第１部分の下端に接続し、前記第１部分に対して前記テーブルの外側方向に斜めに傾いて延びた第２部分と、を有するガイド部と、前記テーブルが前記ガイド部よりも下側に下降した状態において、前記連続用紙の先端部が前記ガイド部の前記第２部分の真下に位置するように前記連続用紙の先端部を前記テーブルの上面との間で挟む挟持部と、を備えるスタッカである。
【０００８】
１つの態様では、連続用紙に印刷を行う印刷装置と、印刷後の前記連続用紙を収容するスタッカと、を備え、前記スタッカは、印刷後の前記連続用紙を上面に受けて折り畳んで積載する昇降可能なテーブルと、前記テーブルの上面に積載される前記連続用紙の側方に配置され、前記テーブルの上面に交差する方向に延びた第１部分と、前記第１部分の下端に接続し、前記第１部分に対して前記テーブルの外側方向に斜めに傾いて延びた第２部分と、を有するガイド部と、前記テーブルが前記ガイド部よりも下側に下降した状態において、前記連続用紙の先端部が前記ガイド部の前記第２部分の真下に位置するように前記連続用紙の先端部を前記テーブルの上面との間で挟む挟持部と、を備えるプリンタである。
【発明の効果】
【０００９】
１つの側面として、連続用紙がテーブルとガイド部との間に挟まれることを抑制できる。
【図面の簡単な説明】
【００１０】
【図１】図１は、実施例１に係るスタッカを備えたプリンタを示す図である。
【図２】図２は、実施例１に係るスタッカの正面図である。
【図３】図３（ａ）は、実施例１に係るスタッカの左側斜視図、図３（ｂ）は、右側斜視図である。
【図４】図４は、テーブルがガイド部まで上昇したときの斜視図である。
【図５】図５は、比較例に係るスタッカの正面図である。
【図６】図６（ａ）から図６（ｃ）は、比較例のスタッカで生じる課題を説明するための図である。
【図７】図７（ａ）は、テーブルに固定された挟持部の斜視図、図７（ｂ）は、断面図である。
【図８】図８（ａ）及び図８（ｂ）は、実施例１に係るスタックの効果を説明する図（その１）である。
【図９】図９（ａ）及び図９（ｂ）は、実施例１に係るスタックの効果を説明する図（その２）である。
【図１０】図１０（ａ）及び図１０（ｂ）は、実施例１に係るスタックの効果を説明する図（その３）である。
【発明を実施するための形態】
【００１１】
以下、図面を参照して本発明の実施例について説明する。
【実施例１】
【００１２】
図１は、実施例１に係るスタッカを備えたプリンタを示す図である。図１のように、連続用紙用のプリンタ２００は、給紙部１２と、印刷装置１４と、スタッカ１００と、を備える。給紙部１２は、連続用紙１０が折り畳まれて積み重ねられている。給紙部１２に積み重ねられた連続用紙１０は、トラクターによってプリンタ２００の本体２０の内部に送り込まれ、送り出しローラ２２を通って印刷装置１４で印刷される。印刷が終了した連続用紙１０は、引っ張りローラ２４に引っ張られて、スタッカ１００に積み重ねられる。
【００１３】
図２は、実施例１に係るスタッカの正面図である。図３（ａ）は、実施例１に係るスタッカの左側斜視図、図３（ｂ）は、右側斜視図である。なお、図２では、印刷されて排出された連続用紙１０がテーブル３２の上面４０に積み重ねられた状態を図示している。図２から図３（ｂ）のように、実施例１のスタッカ１００は、支持柱３０と、テーブル３２と、ガイド部３４と、挟持部３６と、を備える。
【００１４】
支持柱３０にはモータが設けられている。テーブル３２は、モータの回転によって支持柱３０を上下方向に昇降可能となっている。また、テーブル３２は、支持柱３０に固定されたアーム３８に沿って前後方向に移動可能となっている。
【００１５】
印刷装置１４で印刷されて排出された連続用紙１０は、テーブル３２の上面４０にミシン目で折り畳まれて積み重ねられる。テーブル３２は、積み重ねられた連続用紙１０の上面が一定の高さを保つように、積み重ねられた連続用紙１０の量に応じて自動的に昇降する。これにより、排出された連続用紙１０は、テーブル３２の上面４０に安定して折り畳まれて積み重ねられるようになる。
【００１６】
ガイド部３４は、支持柱３０に固定されて、テーブル３２の上方に設置されている。ガイド部３４は、排出された連続用紙１０がテーブル３２の上面４０の所定位置に揃って積み重ねられるように、テーブル３２の上面４０に積み重ねられる連続用紙１０の側方に位置して設けられている。すなわち、ガイド部３４は、テーブル３２の上面４０を構成する辺のうちの支持柱３０と交差する１対の辺それぞれの上方に１対の辺それぞれに沿って設置されている。
【００１７】
ガイド部３４は、第１部分５０と、第１部分５０の下端に接続された第２部分５２と、を有する。第１部分５０は、テーブル３２の上面４０に交差する方向（例えば、テーブル３２の上面４０に対して垂直方向）に延びている。なお、垂直方向とは、完全に垂直な場合に限られず、製造誤差程度に少し傾いている場合も含むものである。第１部分５０は、テーブル３２の上面４０に対して、連続用紙１０がテーブル３２の上面４０の所定位置に揃って積み重ねられることが可能な程度に傾いていてもよい。第２部分５２は、第１部分５０に対してテーブル３２の外側方向に斜めに傾いて延びている。
【００１８】
ガイド部３４は、例えば複数の第１部分５０と、複数の第２部分５２と、を有する。複数の第１部分５０及び複数の第２部分５２は、テーブル３２の上面４０に積み重ねられる連続用紙１０に沿って並んで設けられている。すなわち、複数の第１部分５０及び複数の第２部分５２は、テーブル３２の上面４０を構成する辺のうちの支持柱３０と交差する１対の辺それぞれに沿って並んで設けられている。隣接する第１部分５０の間及び隣接する第２部分５２の間には開口５６が形成されている。また、ガイド部３４は、複数の第２部分５２の下端部が連結部分５４で連結されていてもよい。これにより、ガイド部３４の強度の強化が図れる。
【００１９】
挟持部３６は、テーブル３２の支持柱３０と交差する１対の側面４２それぞれに固定されている。テーブル３２の側面４２は凹凸形状をしている。挟持部３６は、テーブル３２の凹凸形状をした側面４２の凸部４４に固定されている。挟持部３６は、テーブル３２に対して上下方向に移動可能となって、テーブル３２の側面４２に固定されている。挟持部３６は、テーブル３２の昇降方向において、ガイド部３４の第２部分５２に重なって設けられている。なお、挟持部３６は、１対の側面４２の両方に固定されている場合に限られず、片方のみに固定されている場合でもよい。
【００２０】
図４は、テーブルがガイド部まで上昇したときの斜視図である。図４のように、テーブル３２がガイド部３４まで上昇した場合、ガイド部３４の第１部分５０及び第２部分５２は、テーブル３２の側面４２の凹部４６を通過する。すなわち、テーブル３２がガイド部３４まで上昇した場合、ガイド部３４の第１部分５０は、テーブル３２の側面４２の凹部４６内に挿入される。第２部分５２は、テーブル３２の側面４２の凸部４４よりもテーブル３２の外側方向に斜めに傾いて第１部分５０から延びる。テーブル３２の側面４２の凸部４４に固定された挟持部３６は、テーブル３２がガイド部３４まで上昇した場合、ガイド部３４の隣接する第１部分５０の間及び隣接する第２部分５２の間に形成された開口５６に挿入される。これにより、テーブル３２がガイド部３４まで上昇した場合でも、ガイド部３４がテーブル３２及び挟持部３６に衝突することが抑制される。
【００２１】
次に、比較例のスタッカについて説明する。図５は、比較例に係るスタッカの正面図である。なお、図５では、図２と同様に、印刷されて排出された連続用紙１０がテーブル３２の上面４０に積み重ねられた状態を図示している。図５のように、比較例のスタッカ５００では、テーブル３２の側面４２に挟持部３６が固定されていない。その他の構成は、実施例１のスタッカ１００と同じであるため説明を省略する。
【００２２】
ここで、テーブル３２に積み重ねられた印刷済みの連続用紙１０をテーブル３２から取り出す方法について説明する。まず、作業者はテーブル３２から連続用紙１０を取り出すために、テーブル３２に積み重ねられた連続用紙１０がガイド部３４よりも下側に位置するようにテーブル３２を下降させる。そして、作業者はテーブル３２をアーム３８に沿って手前に引き出し、テーブル３２に積み重ねられた連続用紙１０をミシン目で切り離すことで、印刷済みの連続用紙１０を取り出す。その後、作業者がテーブル３２をアーム３８に沿って元の位置に戻した後、テーブル３２は次の印刷に備えて所定の高さにまで上昇する。
【００２３】
このような連続用紙１０を取り出す一連の作業において、比較例のスタッカ５００で生じる課題について説明する。図６（ａ）から図６（ｃ）は、比較例のスタッカで生じる課題を説明するための図である。図６（ａ）のように、作業者はテーブル３２をガイド部３４よりも下側に下降させた状態で連続用紙１０を切り離して、印刷済みの連続用紙１０をテーブル３２から取り出す。図６（ｂ）のように、テーブル３２から印刷済みの連続用紙１０を取り出した後においても、テーブル３２上には連続用紙１０の切り離されていない部分が残存する。図６（ｃ）のように、テーブル３２は次の印刷に備えて所定の高さにまで上昇するが、このときに、テーブル３２上に残存する連続用紙１０の先端部がテーブル３２とガイド部３４との間に挟まれてしまうことが起こり得る。
【００２４】
そこで、実施例１では、テーブル３２上に残存する連続用紙１０の先端部がテーブル３２とガイド部３４との間に挟まれることを抑制するために、テーブル３２に挟持部３６を取り付けている。図７（ａ）は、テーブルに固定された挟持部の斜視図、図７（ｂ）は、断面図である。図７（ａ）及び図７（ｂ）のように、挟持部３６は、例えばポリアセタールなどの樹脂で形成された樹脂部６０と、樹脂部６０にネジなどの固定部材８２で固定され、例えばステンレス鋼などの金属で形成された金属部６２と、を有する。樹脂部６０の幅方向の中央部付近に開口６４が形成されている。挟持部３６は、開口６４にネジなどの固定部材８０が挿入されることで、テーブル３２の側面４２に固定されている。開口６４の上下方向の長さは、固定部材８０の開口６４に挿入された部分の上下方向の長さよりも長い。このため、挟持部３６は、テーブル３２に対して上下方向に移動可能となって、テーブル３２の側面４２に固定されている。
【００２５】
樹脂部６０は、テーブル３２の側面４２から上面４０かけて延在し、テーブル３２の側面４２と上面４０とに他の部材を介すことなく対向している。したがって、挟持部３６は、テーブル３２の上面４０に対向する対向部分７０を有する。金属部６２は、テーブル３２の側面４２とは反対側で樹脂部６０に固定されている。挟持部３６の対向部分７０の角部７２は、面取りがなされて丸みを帯びた形状となっている。
【００２６】
図８（ａ）から図１０（ｂ）は、実施例１に係るスタックの効果を説明する図である。なお、図８（ｂ）は、図８（ａ）における挟持部３６近傍を拡大した断面図、図９（ｂ）は、図９（ａ）における挟持部３６近傍を拡大した断面図、図１０（ｂ）は、図１０（ａ）における挟持部３６近傍を拡大した断面図である。
【００２７】
図８（ａ）及び図８（ｂ）のように、作業者は、テーブル３２をガイド部３４よりも下側に下降させて連続用紙１０を取り出した後、テーブル３２上に残存する連続用紙１０の先端部をテーブル３２の上面４０と挟持部３６の対向部分７０との間に差し込む。上述したように、挟持部３６はテーブル３２に対して上下方向に移動可能となっている。このため、作業者は、連続用紙１０の先端部をテーブル３２の上面４０と挟持部３６の対向部分７０との間に滑り込ませることで、連続用紙１０の先端部をテーブル３２の上面４０と挟持部３６の対向部分７０との間に差し込むことができる。これにより、連続用紙１０の先端部は、挟持部３６の自重によってテーブル３２の上面４０と挟持部３６との間に挟まれて保持される。
【００２８】
挟持部３６は、テーブル３２の昇降方向において、ガイド部３４の第２部分５２に重なって設けられている。このため、テーブル３２がガイド部３４よりも下側に下降した状態において、連続用紙１０の先端部はガイド部３４の第２部分５２の傾斜面の真下に位置してテーブル３２の上面４０と挟持部３６との間に挟まれている。したがって、テーブル３２が次の印刷に備えて上昇することで、図９（ａ）及び図９（ｂ）のように、連続用紙１０の先端部はガイド部３４の第２部分５２に当接する。これにより、連続用紙１０の先端部は、ガイド部３４の第２部分５２によってテーブル３２の上面４０の中央側に押されるようになる。
【００２９】
図１０（ａ）及び図１０（ｂ）のように、テーブル３２が上昇を続けると、連続用紙１０の先端部は、ガイド部３４の第２部分５２によって、テーブル３２の上面４０と挟持部３６の対向部分７０との間から押し出される。そして、テーブル３２がガイド部３４の第１部分５０まで上昇すると、連続用紙１０は、ガイド部３４の第１部分５０によって、テーブル３２の上面４０の所定位置に配されるようになる。このように、テーブル３２に挟持部３６を取り付けることで、テーブル３２が連続用紙１０を取り出したときの位置から上昇した場合でも、連続用紙１０の先端部がテーブル３２とガイド部３４の間に挟まれることが抑制される。
【００３０】
実施例１によれば、図２のように、連続用紙１０を積載する昇降可能なテーブル３２と、テーブル３２に積載される連続用紙１０の側方に配置されるガイド部３４と、テーブル３２の上面４０との間で連続用紙１０の先端部を挟む挟持部３６と、を備える。ガイド部３４は、テーブル３２の上面４０に交差する方向に延びた第１部分５０と、第１部分５０の下端に接続し、第１部分５０に対してテーブル３２の外側方向に斜めに傾いて延びた第２部分５２と、を有する。挟持部３６は、図８（ａ）及び図８（ｂ）のように、テーブル３２がガイド部３４よりも下側に下降した状態において、連続用紙１０の先端部がガイド部３４の第２部分５２の真下に位置するようにテーブル３２の上面４０との間で連続用紙１０の先端部を挟む。これにより、図８（ａ）から図１０（ｂ）で説明したように、テーブル３２が連続用紙１０を取り出した位置から上昇した場合でも、連続用紙１０の先端部がテーブル３２とガイド部３４との間に挟まれることを抑制できる。
【００３１】
図７（ａ）及び図７（ｂ）のように、挟持部３６は、テーブル３２の側面４２にテーブル３２に対して上下方向に移動可能に固定されている場合が好ましい。これにより、テーブル３２から連続用紙１０を取り出す際に挟持部３６が障害となることが抑制される。
【００３２】
図７（ａ）及び図７（ｂ）のように、挟持部３６は、テーブル３２の凹凸形状をした側面４２の凸部４４にテーブル３２に対して上下方向に移動可能に固定されている場合が好ましい。図４のように、ガイド部３４の第１部分５０及び第２部分５２は、テーブル３２の昇降においてテーブル３２の側面４２の凹部４６を通過することが好ましい。これにより、テーブル３２がガイド部３４まで上昇した場合でも、ガイド部３４がテーブル３２及び挟持部３６に衝突することが抑制される。また、テーブル３２の上面４０と挟持部３６とで挟まれた連続用紙１０の先端部が、テーブル３２の上昇によってガイド部３４の第２部分５２に当接してテーブル３２の上面４０と挟持部３６との間から押し出される構成を容易に得られる。
【００３３】
図７（ｂ）のように、挟持部３６は、テーブル３２の側面４２と対向する部分が樹脂で形成された樹脂部６０となっていることが好ましい。これにより、テーブル３２に対する挟持部３６の摺動性が良好となり、連続用紙１０の先端部をテーブル３２の上面４０と挟持部３６との間に差し込むことを容易に行えるようになる。
【００３４】
挟持部３６は、自重によって連続用紙１０の先端部をテーブル３２の上面４０との間で挟むことが好ましい。これにより、連続用紙１０の先端部は、ガイド部３４の第２部分５２に当接することで、テーブル３２の上面４０と挟持部３６との間から容易に押し出されるようになる。なお、挟持部３６が樹脂部６０を含んで形成されていることで、挟持部３６の重量が連続用紙１０の先端部をテーブル３２の上面４０との間で挟んで保持するには軽い場合では、挟持部３６は樹脂部６０と金属部６２とを含んで構成されていてもよい。
【００３５】
図７（ｂ）のように、挟持部３６の連続用紙１０が差し込まれる箇所の角部７２は面取りされている場合が好ましい。これにより、連続用紙１０の先端部をテーブル３２の上面４０と挟持部３６との間に差し込むことを容易に行えるようになる。
【００３６】
なお、実施例１では、スタッカ１００がプリンタ２００に備わる場合を例に示したが、プリンタ以外の装置に備わる場合でもよい。
【００３７】
以上、本発明の実施例について詳述したが、本発明はかかる特定の実施例に限定されるものではなく、特許請求の範囲に記載された本発明の要旨の範囲内において、種々の変形・変更が可能である。
【符号の説明】
【００３８】
１０  連続用紙
１２  給紙部
１４  印刷装置
２０  本体
２２  送り出しローラ―
２４  引っ張りローラ―
３０  支持柱
３２  テーブル
３４  ガイド部
３６  挟持部
３８  アーム
４０  テーブルの上面
４２  テーブルの側面
４４  凸部
４６  凹部
５０  第１部分
５２  第２部分
５４  連結部分
５６  開口
６０  樹脂部
６２  金属部
６４  開口
７０  対向部分
７２  角部
８０、８２  固定部材
１００、５００  スタッカ
２００  プリンタ
【図１】
2020011785.tif 000003
【図２】
2020011785.tif 000004
【図３】
2020011785.tif 000005
【図４】
2020011785.tif 000006
【図５】
2020011785.tif 000007
【図６】
2020011785.tif 000008
【図７】
2020011785.tif 000009
【図８】
2020011785.tif 000010
【図９】
2020011785.tif 000011
【図１０】
2020011785.tif 000012